(57)【要約】【課題】光学部品の欠陥位置の検出が電源投入時に毎回行われる場合、記録再生装置が情報を記録又は情報を再生できる状態になるまで多大な時間がかかるといった課題があった。本発明の目的は、ホログラフィを用いて記録媒体から情報を記録又は再生する装置で、短時間で情報を記録又は情報を再生できる状態にしつつ、歩留りの向上と、記録再生に関わる光学部品に欠陥が生じた場合でも記録再生に支障がなく信頼性の高い装置を提供することである。【解決手段】情報が重畳された信号光と参照光との干渉パターンをホログラムとして光情報記録媒体に記録し、前記光情報記録媒体から情報を再生する光情報記録再生装置において、光を出射する光源部と、前記光を参照光と信号光に分離する光学分離部と、前記信号光に情報を重畳する空間光変調部と、前記参照光により再生された再生像を検出する光検出部と、を備え、前記光情報記録媒体に前記空間光変調部の欠陥に関する情報を記録する光情報記録再生装置。【選択図】  図１
2014010859.tif 000002
【特許請求の範囲】
【請求項１】
情報が重畳された信号光と参照光との干渉パターンをホログラムとして光情報記録媒体に記録し、前記光情報記録媒体から情報を再生する光情報記録再生装置において、
光を出射する光源部と、
前記光を参照光と信号光に分離する光学分離部と、
前記信号光に情報を重畳する空間光変調部と、
前記参照光により再生された再生像を検出する光検出部と、を備え、
前記光情報記録媒体に前記空間光変調部の欠陥に関する情報を記録する
ことを特徴とする光情報記録再生装置。
【請求項２】
請求項１の光情報記録再生装置において、
前記光情報記録媒体に記録される空間光変調部の欠陥に関する情報は、欠陥の位置であることを特徴とする光情報記録再生装置。
【請求項３】
請求項１の光情報記録再生装置において、
前記光情報記録媒体に記録される空間光変調部の欠陥に関する情報は、欠陥の位置と種類であることを特徴とする光情報記録再生装置。
【請求項４】
請求項１の光情報記録再生装置において、
前記光情報記録媒体に記録される空間光変調部の欠陥に関する情報は、欠陥の位置と前記装置が記録した範囲を特定する情報であることを特徴とする光情報記録再生装置。
【請求項５】
請求項１の光情報記録再生装置において、
前記光情報記録媒体に記録された空間光変調部の欠陥に関する情報を、
前記光情報記録媒体から情報を再生する前に、再生し、
前記再生された空間光変調部の欠陥に関する情報に応じて
前記光情報記録媒体からの情報再生時に再生信号処理、又は誤り訂正処理を切り替える
ことを特徴とする光情報記録再生装置。
【請求項６】
情報が重畳された信号光と参照光との干渉パターンをホログラムとして光情報記録媒体に記録し、前記光情報記録媒体から情報を再生する光情報記録再生装置において、
光を出射する光源部と、
前記光を参照光と信号光に分離する光学分離部と、
前記信号光に情報を重畳する空間光変調部と、
前記参照光により再生された再生像を検出する光検出部と、
不揮発メモリ部と、を備え、
前記不揮発メモリ部に前記光検出部の欠陥に関する情報を格納する
ことを特徴とする光情報記録再生装置。
【請求項７】
請求項６の光情報記録再生装置において、
前記不揮発メモリ部に格納される光検出部の欠陥に関する情報は、欠陥の位置であることを特徴とする光情報記録再生装置。
【請求項８】
請求項６の光情報記録再生装置において、
前記不揮発メモリ部に格納される光検出部の欠陥に関する情報は、欠陥の位置と種類であることを特徴とする光情報記録再生装置。
【請求項９】
請求項６の光情報記録再生装置において、
前記不揮発メモリ部に格納される光検出部の欠陥に関する情報に応じて
前記光情報記録媒体からの情報再生時に再生信号処理、又は誤り訂正処理を切り替える
ことを特徴とする光情報記録再生装置。
【請求項１０】
情報が重畳された信号光と参照光との干渉パターンをホログラムとして光情報記録媒体に記録し、前記光情報記録媒体から情報を再生する光情報記録再生装置において、
光を出射する光源部と、
前記光を参照光と信号光に分離する光学分離部と、
前記信号光に情報を重畳する空間光変調部と、
前記参照光により再生された再生像を検出する光検出部と、
不揮発メモリ部と、を備え、
前記不揮発メモリ部に前記空間光変調部の欠陥に関する情報を格納する
ことを特徴とする光情報記録再生装置。
【請求項１１】
請求項１０の光情報記録再生装置において、
前記不揮発メモリ部に格納される空間光変調器の欠陥に関する情報に応じて
前記光情報記録媒体への情報記録時にインターリーブ処理を切り替える
ことを特徴とする光情報記録再生装置。
【請求項１２】
情報が重畳された信号光と参照光との干渉パターンをホログラムとして光情報記録媒体に記録し、前記光情報記録媒体から情報を再生する光情報記録再生装置において、
光を出射する光源部と、
前記光を参照光と信号光に分離する光学分離部と、
前記信号光に情報を重畳する空間光変調部と、
前記参照光により再生された再生像を検出する光検出部と、を備え、
前記光情報記録媒体から複数の情報の再生を行い、
前記光検出部の各画素で検出された信号強度の平均値から光検出部の欠陥を検出、
又はリサンプル処理を行った情報の各画素で検出された信号強度の平均値から空間光変調部の欠陥を検出する
ことを特徴とする光情報記録再生装置。
【請求項１３】
情報が重畳された信号光と参照光との干渉パターンをホログラムとして光情報記録媒体に記録し、前記光情報記録媒体から情報を再生する光情報記録再生装置において、
光を出射する光源部と、
前記光を参照光と信号光に分離する光学分離部と、
前記信号光に情報を重畳する空間光変調部と、
前記参照光により再生された再生像を検出する光検出部と、を備え、
前記光情報記録媒体から複数の情報の再生を複数の位置で行い、
前記光検出部の各画素で検出された同位置での信号強度の平均値と異なる位置間の検出された欠陥の位置から光検出部の欠陥を検出、
又はリサンプル処理を行った情報の各画素で検出された同位置での信号強度の平均値と異なる位置間の検出された欠陥の位置から空間光変調部の欠陥を検出する
ことを特徴とする光情報記録再生装置。
【請求項１４】
情報が重畳された信号光と参照光との干渉パターンをホログラムとして光情報記録媒体に記録し、前記光情報記録媒体から情報を再生する光情報記録再生方法において、
光を出射する光源ステップと、
前記光を参照光と信号光に分離する光学分離ステップと、
前記信号光に情報を重畳する空間光変調ステップと、
前記参照光により再生された再生像を検出する光検出ステップと、を備え、
前記光情報記録媒体から複数の情報の再生を行い、
前記光検出ステップの各画素で検出された信号強度の平均値から光検出ステップの欠陥を検出、
又はリサンプル処理を行った情報の各画素で検出された信号強度の平均値から空間光変調ステップの欠陥を検出する
ことを特徴とする光情報記録再生方法。
【請求項１５】
情報が重畳された信号光と参照光との干渉パターンをホログラムとして光情報記録媒体に記録し、前記光情報記録媒体から情報を再生する光情報記録再生方法において、
光を出射する光源ステップと、
前記光を参照光と信号光に分離する光学分離ステップと、
前記信号光に情報を重畳する空間光変調ステップと、
前記参照光により再生された再生像を検出する光検出ステップと、を備え、
前記光情報記録媒体から複数の情報の再生を複数の位置で行い、
前記光検出ステップの各画素で検出された同位置での信号強度の平均値と異なる位置間の検出された欠陥の位置から光検出ステップの欠陥を検出、
又はリサンプル処理を行った情報の各画素で検出された同位置での信号強度の平均値と異なる位置間の検出された欠陥の位置から空間光変調ステップの欠陥を検出する
ことを特徴とする光情報記録再生方法。
【発明の詳細な説明】
【技術分野】
【０００１】
本発明は、ホログラフィを用いて、記録媒体から情報を記録又は再生する、方法及び装置に関する。
【背景技術】
【０００２】
現在、青紫色半導体レーザを用いた、Ｂｌｕ−ｒａｙ  Ｄｉｓｃ（ＴＭ）規格により、民生用においても５０ＧＢ程度の記録容量を持つ光ディスクの商品化が可能となってきた。今後は、光ディスクでも１００ＧＢ〜１ＴＢというＨＤＤ（Ｈａｒｄ  Ｄｉｓｋ  Ｄｒｉｖｅ）容量と同程度まで大容量化が望まれる。
【０００３】
しかしながら、このような超高密度を光ディスクで実現するためには、短波長化と対物レンズ高ＮＡ化による高密度化技術とは異なる新しい方式による高密度化技術が必要である。
【０００４】
次世代のストレージ技術に関する研究が行われる中、ホログラフィを利用してデジタル情報を記録するホログラム記録技術が注目を集めている。
【０００５】
ホログラム記録技術とは、空間光変調器により２次元的に変調されたページデータの情報を有する信号光を、記録媒体の内部で参照光と重ね合わせ、その時に生じる干渉縞パターンによって記録媒体内に屈折率変調を生じさせることで情報を記録媒体に記録する技術である。
【０００６】
情報の再生時には、記録時に用いた参照光を記録媒体に照射すると、記録媒体中に記録されているホログラムが回折格子のように作用して回折光を生じる。この回折光が記録した信号光と位相情報を含めて同一の光として再生される。
【０００７】
再生された信号光は、ＣＭＯＳやＣＣＤなどの光検出器を用いて２次元的に高速に検出される。このようにホログラム記録技術は、１つのホログラムによって２次元的な情報を一気に光記録媒体に記録し、さらにこの情報を再生することを可能とするものであり、そして、記録媒体のある場所に複数のページデータを重ね書きすることができるため、大容量かつ高速な情報の記録再生を果たすことができる。
【０００８】
本ホログラム記録技術において記録再生装置の空間変調部または光検出部が欠陥を有する場合や使用により欠陥が生じた場合に対応する技術として、例えば特開２００６−２３６５３６号公報（特許文献１）がある。本公報には、「ホログラム記録媒体に記録されたページデータを読み出すための参照光をホログラム記録媒体に照射する参照光照射部と、ホログラム記録媒体に書き込むべきページデータに対応した空間情報を用いて変調した情報光を生成する空間変調部と、前記情報光を、参照光を照射する領域と同一の領域に照射する情報光照射部と、前記参照光をホログラム記録媒体に照射することによって生成された再生光を受光する光検出部と、既知ページデータを予め記憶した既知データ記憶部と、前記既知ページデータに対応した空間情報を用いて変調した情報光と前記参照光とをホログラム記録媒体に照射して既知ページデータをホログラム記録媒体に書込んだ後、参照光を媒体に照射して前記光検出部が受光した再生光からホログラム記録媒体に書込んだ既知ページデータを読み出して、前記空間変調部または光検出部の欠陥位置を調査する欠陥調査部と、前記欠陥調査部によって検出された欠陥位置の情報を用いて、前記光検出部で受光された再生光に含まれる欠陥位置のもとのデータを復元再生する再生制御部とを備え、前記ホログラム記録媒体に、前記既知データ記憶部に記憶された既知ページデータＤ３と同じデータＤ４が予め記録され、前記欠陥調査部が、前記既知ページデータＤ３をホログラム記録媒体に記録した後その記録されたデータＤ３′を読み出して欠陥位置を調査する第１欠陥位置調査と、ホログラム記録媒体に予め記録されたデータＤ４を読み出して欠陥位置を調査する第２欠陥位置調査とを行い、両欠陥位置調査により検出された欠陥位置の情報をもとに、前記空間変調部および光検出部のどちらに欠陥が存在するかを判定する判定部を備えることで、欠陥調査部の調査により検出した欠陥位置情報を用いて欠陥位置のデータを復元再生するので、空間変調部または光検出部が欠陥を有する場合や使用により欠陥が生じた場合でも、許容できる欠陥数の範囲内の欠陥であれば、ホログラム記録媒体に対して欠陥位置のデータを正確に記録再生することができ、記録再生装置の歩留りの向上と製造コストの抑制を図ることができ、ユーザデータの記録再生に支障のないような高信頼性を有する記録再生装置を提供できる。」と記載されている。
【先行技術文献】
【特許文献】
【０００９】
【特許文献１】特開２００６−２３６５３６号公報
【発明の概要】
【発明が解決しようとする課題】
【００１０】
ところで、光学部品の欠陥位置の検出が電源投入時に毎回行われる場合、記録再生装置が情報を記録又は情報を再生できる状態になるまで多大な時間がかかるといった課題があった。
【００１１】
本発明の目的は、ホログラフィを用いて記録媒体から情報を記録又は再生する装置で、短時間で情報を記録又は情報を再生できる状態にしつつ、歩留りの向上と、記録再生に関わる光学部品に欠陥が生じた場合でも記録再生に支障がなく信頼性の高い装置を提供することである。
【課題を解決するための手段】
【００１２】
上記課題は、例えば光学部材の欠陥情報を記録媒体あるいは装置内のメモリに記録することにより解決される。
【発明の効果】
【００１３】
本発明によれば、短時間で情報を記録又は情報を再生できる状態にしつつ、歩留りの向上と、記録再生に関わる光学部品に欠陥が生じた場合でも記録再生に支障がなく信頼性の高い光記録再生装置を提供することができる。
【図面の簡単な説明】
【００１４】
【図１】光情報記録再生装置の動作フローの実施例を表す概略図
【図２】光情報記録再生装置の実施例を表す概略図
【図３】光情報記録再生装置内のピックアップの実施例を表す概略図
【図４】光情報記録再生装置内のピックアップの実施例を表す概略図
【図５】光情報記録再生装置内のピックアップの実施例を表す概略図
【図６】光情報記録再生装置の動作フローの実施例を表す概略図
【図７】光情報記録再生装置内の信号生成回路の実施例を表す概略図
【図８】光情報記録再生装置内の信号処理回路の実施例を表す概略図
【図９】信号生成回路及び信号処理回路の動作フローの実施例を表す概略図
【図１０】反射層を有する光情報記録媒体の層構造の実施例を示す概略図
【図１１】空間光変調器の欠陥を表す概略図
【図１２】光検出器の欠陥を表す概略図
【図１３】光検出器上の検出画像のリサンプリングした結果の画像の概略図
【図１４】インターリーブの概略図
【図１５】インターリーブの概略図
【図１６】２次元データの概略図
【図１７】光検出器の明欠陥の再生信号処理での取り扱いを示す概略図
【図１８】光検出器の欠陥位置の検出方法を示す概略図
【図１９】空間光変調器、及び光検出器の欠陥位置の検出方法を示す概略図
【図２０】光検出器の欠陥位置の検出で使用される２次元データ、又は検出画像の概略図
【図２１】光検出器の欠陥位置の検出で使用される検出画像の概略図
【図２２】光検出器の欠陥位置の検出で使用される２次元データ、又は検出画像の概略図
【図２３】光検出器の欠陥位置の検出で使用される２次元データ、又は検出画像の概略図
【図２４】光検出器の欠陥位置の検出で使用される２次元データ、又は検出画像の概略図
【図２５】光検出器の欠陥位置の検出で使用される２次元データ、又は検出画像の概略図
【図２６】光情報記録媒体とブックケースの概略図
【図２７】記録・未記録領域と走査時に検出される光量との関係図
【発明を実施するための形態】
【００１５】
以下、本発明の実施例について図面を用いて説明する。
【実施例１】
【００１６】
本発明の実施形態を添付図面にしたがって説明する。図２はホログラフィを利用してデジタル情報を記録および／または再生する光情報記録媒体の記録再生装置を示すブロック図である。
【００１７】
光情報記録再生装置１０は、入出力制御回路９０を介して外部制御装置９１と接続されている。記録する場合には、光情報記録再生装置１０は外部制御装置９１から記録する情報信号を入出力制御回路９０により受信する。再生する場合には、光情報記録再生装置１０は再生した情報信号を入出力制御回路９０により外部制御装置９１に送信する。
【００１８】
光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能な構成となっている。
【００１９】
ピックアップ１１は、参照光と信号光を光情報記録媒体１に照射してホログラフィを利用してデジタル情報を記録媒体に記録する役割を果たす。この際、記録する情報信号はコントローラ８９によって信号生成回路８６を介してピックアップ１１内の空間光変調器に送られ、信号光は空間光変調器によって変調される。
【００２０】
光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の後述する光検出器によって検出し、信号処理回路８５によって信号を再生する。
【００２１】
不揮発メモリ９２は装置に関する固有の情報、例えば空間光変調器３１２のピクセル欠陥、光検出器３２５のピクセル欠陥、ピックアップ１１の回転モータ５０に対する相対傾きに関する情報、を保持するために用いられる。
【００２２】
光情報記録媒体１に照射する参照光と信号光の照射時間は、ピックアップ１１内のシャッタの開閉時間をコントローラ８９によってシャッタ制御回路８７を介して制御することで調整できる。
【００２３】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。
【００２４】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。
【００２５】
光源駆動回路８２からは所定の光源駆動電流がピックアップ１１、キュア光学系１３、ディスク回転角度検出用光学系１４内の光源に供給され、各々の光源からは所定の光量で光ビームを発光することができる。
【００２６】
また、ピックアップ１１、そして、ディスクキュア光学系１３は、光情報記録媒体１の半径方向に位置をスライドできる機構が設けられており、アクセス制御回路８１を介して位置制御がおこなわれる。
【００２７】
ところで、ホログラフィの角度多重の原理を利用した記録技術は、参照光角度のずれに対する許容誤差が極めて小さくなる傾向がある。
【００２８】
従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えることが必要となる。
【００２９】
また、ピックアップ１１、キュア光学系１３、ディスク回転角度検出用光学系１４は、いくつかの光学系構成または全ての光学系構成をひとつに纏めて簡素化しても構わない。
【００３０】
図３は、光情報記録再生装置１０におけるピックアップ１１の基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム３０５に入射する。
【００３１】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。
【００３２】
空間光変調器３１２によって情報が付加された信号光は、ＰＢＳプリズム３１１を反射し、リレーレンズ３１３ならびに空間フィルタ３１４を伝播する。その後、信号光は対物レンズ３１５によって光情報記録媒体１に集光する。
【００３３】
一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。
【００３４】
このように信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。
【００３５】
以降、同じ領域に参照光角度を変えて記録されたホログラムにおいて、１つ１つの参照光角度に対応したホログラムをページと呼び、同領域に角度多重されたページの集合をブックと呼ぶことにする。
【００３６】
図４は、光情報記録再生装置１０におけるピックアップ１１の基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。
【００３７】
この再生用参照光によって再生された再生光は、対物レンズ３１５、リレーレンズ３１３ならびに空間フィルタ３１４を伝播する。その後、再生光はＰＢＳプリズム３１１を透過して光検出器３２５に入射し、記録した信号を再生することができる。光検出器３２５としては例えばＣＭＯＳイメージセンサーやＣＣＤイメージセンサーなどの撮像素子を用いることができるが、ページデータを再生可能であれば、どのような素子であっても構わない。
【００３８】
図５はピックアップ１１の別の構成を示した図である。図５において、光源５０１を出射した光ビームはコリメートレンズ５０２を透過し、シャッタ５０３に入射する。シャッタ５０３が開いている時は、光ビームはシャッタ５０３を通過した後、例えば１／２波長板などで構成される光学素子５０４によってｐ偏光とｓ偏光の光量比が所望の比になるように偏光方向を制御された後、ＰＢＳプリズム５０５に入射する。
【００３９】
ＰＢＳプリズム５０５を透過した光ビームは、ＰＢＳプリズム５０７を経由して空間光変調器５０８に入射する。空間光変調器５０８によって情報を付加された信号光５０６はＰＢＳプリズム５０７を反射し、所定の入射角度の光ビームのみを通過させるアングルフィルタ５０９を伝播する。その後、信号光ビームは対物レンズ５１０によってホログラム記録媒体１に集光する。
【００４０】
一方、ＰＢＳプリズム５０５を反射した光ビームは参照光５１２として働き、偏光方向変換素子５１９によって記録時又は再生時に応じて所定の偏光方向に設定された後、ミラー５１３ならびにミラー５１４を経由してレンズ５１５に入射する。レンズ５１５は参照光５１２を対物レンズ５１０のバックフォーカス面に集光させる役割を果たしており、対物レンズ５１０のバックフォーカス面にて一度集光した参照光は、対物レンズ５１０によって再度、平行光となってホログラム記録媒体１に入射する。
【００４１】
ここで、対物レンズ５１０又は光学ブロック５２１は、例えば符号５２０に示す方向に駆動可能であり、対物レンズ５１０又は光学ブロック５２１の位置を駆動方向５２０に沿ってずらすことにより、対物レンズ５１０と対物レンズ５１０のバックフォーカス面における集光点の相対位置関係が変化するため、ホログラム記録媒体１に入射する参照光の入射角度を所望の角度に設定することができる。なお、対物レンズ５１０又は光学ブロック５２１を駆動する代わりに、ミラー５１４をアクチュエータにより駆動することで参照光の入射角度を所望の角度に設定しても構わない。
【００４２】
このように、信号光と参照光をホログラム記録媒体１において、互いに重ね合うように入射させることで、記録媒体内には干渉縞パターンが形成され、このパターンを記録媒体に書き込むことで情報を記録する。また対物レンズ５１０又は光学ブロック５２１の位置を駆動方向５２０に沿ってずらすことによって、ホログラム記録媒体１に入射する参照光の入射角度を変化させることができるため、角度多重による記録が可能である。
【００４３】
記録した情報を再生する場合は、前述したように参照光をホログラム記録媒体１に入射し、ホログラム記録媒体１を透過した光ビームをガルバノミラー５１６にて反射させることで、その再生用参照光を生成する。この再生用参照光によって再生された再生光は、対物レンズ５１０、アングルフィルタ５０９を伝播する。その後、再生光はＰＢＳプリズム５０７を透過して光検出器５１８に入射し、記録した信号を再生することができる。
【００４４】
図５で示した光学系は、信号光と参照光を同一の対物レンズに入射させる構成とすることで、図３で示した光学系構成に比して、大幅に小型化できる利点を有する。
【００４５】
図６は、光情報記録再生装置１０における記録、再生の動作フローを示したものである。ここでは、特にホログラフィを利用した記録再生に関するフローを説明する。
【００４６】
図６（ａ）は、光情報記録再生装置１０に光情報記録媒体１を挿入した後、記録または再生の準備が完了するまでの動作フローを示し、図６（ｂ）は準備完了状態から光情報記録媒体１に情報を記録するまでの動作フロー、図６（ｃ）は準備完了状態から光情報記録媒体１に記録した情報を再生するまでの動作フローを示したものである。
【００４７】
図６（ａ）に示すように媒体を挿入すると（６０１）、光情報記録再生装置１０は、例えば挿入された媒体がホログラフィを利用してデジタル情報を記録または再生する媒体であるかどうかディスク判別を行う（６０２）。
【００４８】
ディスク判別の結果、ホログラフィを利用してデジタル情報を記録または再生する光情報記録媒体であると判断されると、光情報記録再生装置１０は光情報記録媒体に設けられたコントロールデータを読み出し（６０３）、例えば光情報記録媒体１に関する情報や、記録や再生を行った光情報記録再生装置に関する情報、記録や再生の各種設定条件、記録や再生時の温度、湿度、日時等の環境情報、物理アドレスや論理アドレスに関する情報、メディアフォーマットの情報、欠陥位置の情報や代替領域の情報
を取得する。
【００４９】
コントロールデータの読み出し後は、コントロールデータに応じた各種調整やピックアップ１１に関わる学習処理（６０４）を行い、光情報記録再生装置１０は、記録または再生の準備が完了する（６０５）。
【００５０】
準備完了状態から情報を記録するまでの動作フローは図６（ｂ）に示すように、まず記録するデータを受信して（６１１）、該データに応じた情報をピックアップ１１内の空間光変調器に送る。
【００５１】
その後、光情報記録媒体に高品質の情報を記録できるように、必要に応じて例えば光源３０１のパワー最適化やシャッタ３０３による露光時間の最適化等の各種記録用学習処理を事前に行う（６１２）。
【００５２】
その後、シーク動作（６１３）ではアクセス制御回路８１を制御して、ピックアップ１１ならびにキュア光学系１３の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
【００５３】
その後、キュア光学系１３から出射する光ビームを用いて所定の領域をプリキュアし（６１４）、ピックアップ１１から出射する参照光と信号光を用いてデータを記録する（６１５）。
【００５４】
データを記録した後は、キュア光学系１３から出射する光ビームを用いてポストキュアを行う（６１６）。必要に応じてデータをベリファイしても構わない。
【００５５】
準備完了状態から記録された情報を再生するまでの動作フローは図６（ｃ）に示すように、まずシーク動作（６２１）で、アクセス制御回路８１を制御して、ピックアップ１１ならびに再生用参照光光学系１２の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
【００５６】
その後、ピックアップ１１から参照光を出射し、光情報記録媒体に記録された情報を読み出し（６２２）、再生データを送信する（６１３）。
【００５７】
図１は、図６同様に光情報記録再生装置１０における記録、再生の動作フローを示したものである。  図１（ａ）は、光情報記録媒体１が挿入された光情報記録再生装置１０の電源投入後、記録または再生の準備が完了するまでの動作フローを示し、図６（ｂ）は準備完了状態から最初に光情報記録媒体１に情報を記録するまでの動作フローを示したものである。
【００５８】
図１（ａ）に示すように電源が投入されると（１０１）、光情報記録再生装置１０は挿入された媒体がホログラフィを利用してデジタル情報を記録または再生する媒体であるかどうかディスク判別を行う（６０２）。ディスク判別の結果、ホログラフィを利用してデジタル情報を記録または再生する光情報記録媒体であると判断されると、光情報記録再生装置１０は光情報記録媒体に記録された記録装置の空間光変調器３１２の欠陥情報、欠陥の位置、又は位置と種類を含むコントロールデータの読み出し（６０３）を行う。光情報記録媒体が複数の記録装置で記録されている場合は、本空間光変調器３１２の欠陥情報は複数となり、それぞれ光情報記録媒体のアドレス情報と対応付けられる。
【００５９】
コントロールデータの読み出し後は、光検出器の欠陥検出処理１０２を行う。光検出器の欠陥検出処理１０２は２つに方法に大別できる。１つ目は予め光情報記録再生装置１０内の不揮発メモリ９２に格納された光検出器３１２の欠陥情報を読み出す方法、２つ目は光情報記録媒体に記録されたホログラムを再生し光検出器３１２の欠陥の位置と種類を探し出す方法である。不揮発メモリ９２に格納される光検出器１０２の欠陥情報は、量産時に格納されても良いし、適時光情報記録媒体に記録されたホログラムを再生し探し出した欠陥情報を格納しても良い。
【００６０】
コントロールデータの読み出し後は、コントロールデータに応じた各種調整やピックアップ１１に関わる学習処理（６０４）を行い、光情報記録再生装置１０は、記録または再生の準備が完了する（６０５）。
【００６１】
準備完了状態から最初に情報を記録するまでの動作フローは図１（ｂ）に示すように、まず記録するデータを受信して（６１１）、該データに応じた情報をピックアップ１１内の空間光変調器に送る。
【００６２】
その後、光情報記録媒体に高品質の情報を記録できるように、必要に応じて例えば光源３０１のパワー最適化やシャッタ３０３による露光時間の最適化等の各種記録用学習処理を事前に行う（６１２）。
【００６３】
記録用学習処理後は、空間光変調器の欠陥検出処理１１１を行う。空間光変調器３２５の欠陥検出処理は２つに方法に大別できる。１つ目は予め光情報記録再生装置１０内の不揮発メモリ９２に格納された空間光変調器３２５の欠陥情報を読み出す方法、２つ目は光情報記録媒体に記録されたホログラムを再生し空間光変調器３２５の欠陥の位置と種類を探し出す方法である。不揮発メモリ９２に格納される空間光変調器３２５の欠陥情報は、量産時に格納されても良いし、適時光情報記録媒体に記録されたホログラムを再生し探し出した欠陥情報を格納しても良い。
【００６４】
その後、シーク動作（６１３）ではアクセス制御回路８１を制御して、ピックアップ１１ならびにキュア光学系１３の位置を光情報記録媒体の所定の位置に位置づけする。キュア光学系１３から出射する光ビームを用いて所定の領域をプリキュアし（６１４）、ピックアップ１１から出射する参照光と信号光を用いてデータを記録する（６１５）。データ記録後は、キュア光学系１３から出射する光ビームを用いてポストキュアを行う（６１６）。必要に応じてデータをベリファイしても構わない。
【００６５】
図２６は、光情報記録媒体１とブックケース２の実施例を表す概略図を示している。
【００６６】
図２６（ａ）に光情報記録媒体１の実施例の概略図を示す。光情報記録媒体１中には、例えば同心円状にトラック３が配置されており、このトラック上にブックケース２を記録する。ブックケース２は、記録セッション中に記録可能な最小単位、つまりブックケース２をプリキュアし（６１４）、参照光と信号光を用いてブックケース２にデータ記録し（６１５）、ブックケース２にデータ記録した後、ポストキュアを行う単位であり、ブックケース２内は複数のブック４で構成される。例えば図示するようにブックケース２間には隙間を設けて配置する。光情報記録媒体１中にデータを記録する際は、例えば内周側のトラック３からブックケース２を時計周りに記録していく。トラック３内で最初にブックケース２を記録する場合は、例えば光情報記録媒体１の回転角度位置を統一し記録を行う。図中では０°の直線で各トラック３の記録開始位置を示している。
【００６７】
図２６（ｂ）にブックケース２の実施例の概略図を示す。ブックケース２は、複数のブック４で構成される。ブックケース２中の最外周側の右端部に配置するブック４位置は管理領域５として用いられ、コントロールデータが記録される。
【００６８】
管理領域５の探索方法について説明する。管理領域５は、前述のようにブックケース２の端部に記録されているため、記録済み領域と未記録領域の境界を探索すればよい。図２７は、記録済み及び未記録の領域の箇所と走査時に検出される光量との関係の例を表す概略図を示している。
【００６９】
図２７（ａ）は光情報記録媒体１における記録済みの領域と未記録の領域とを示す。光情報記録媒体の内周から外周に向かって同心円状に記録済み領域があり、記録済みの領域の最外周は回転角度の途中で記録が終了しているものとする。
【００７０】
図２７（ｂ）は角度多重と垂直な方向に参照光角度をずらした後に半径方向に光量を走査して記録済みの領域の最外周を決定する際に得られる光量について示している。記録済みの領域を走査している場合には常に閾値よりも大きい光量が検出され、ブック４を通過するたびに光量のピークが得られる。記録済み領域の最外周を超えると閾値以下の光量となるため、これを検出し、最後の光量のピークの位置が記録済みの領域の最外周、つまり最後に記録されたブックケース２であると判断する。
【００７１】
図２７（ｃ）は回転方向に光量を走査して記録済みの領域の終端を決定する際に得られる光量について示している。記録済みの領域を走査している場合には常に閾値よりも大きい光量が検出され、ブック４を通過するたびに光量のピークが得られる。記録済み領域の最外周を超えると閾値以下の光量となるため、これを検出し、最後の光量のピークの位置が記録済みの領域の終端であると判断する。
【００７２】
以上の説明によれば、角度多重と垂直な方向に参照光角度をずらして光量を走査することにより、記録済みの領域と未記録の領域との境界を安定的に検出することができ、最後に記録された管理領域５の管理情報の探索が可能となる。
【００７３】
図９は、記録、再生時のデータ処理フローを示したものであり、図９（ａ）は、入出力制御回路９０において記録データ受信処理６１１後、空間光変調器３１２上の２次元データに変換するまでの信号生成回路８６での記録データ処理フローを示しており、図９（ｂ）は光検出器３２５で２次元データを検出後、入出力制御回路９０における再生データ送信処理６２４までの信号処理回路８５での再生データ処理フローを示している。
【００７４】
図９（ａ）を用いて記録時のデータ処理について説明する。ユーザデータを受信（９０１）すると、複数のデータ列に分割、再生時エラー検出が行えるように各データ列をＣＲＣ化（９０２）し、オンピクセル数とオフピクセル数をほぼ等しくし、同一パターンの繰り返しを防ぐことを目的にデータ列に擬似乱数データ列を加えるスクランブル（９０３）を施した後、再生時エラー訂正が行えるようにリード・ソロモン符号等の誤り訂正符号化（９０４）を行う。次にこのデータ列をエラー分散のためのインターリーブを施しながらＭ×Ｎの２次元データに変換し、それを１ページデータ分繰返すことで１ページ分の２次元データ（９０５）を構成する。このように構成した２次元データに対して再生時の画像位置検出や画像歪補正での基準となるマーカーを付加（９０６）し、空間光変調器３１２にデータを転送（９０７）する。
【００７５】
次に図９（ｂ）を用いて再生時のデータ処理フローについて説明する。光検出器３２５で検出された画像データが信号処理回路８５に転送（９１１）される。この画像データに含まれるマーカーを基準に画像位置を検出（９１２）し、光検出器３２５やの欠陥位置、及び欠陥の種類を考慮しながら画像の傾き・倍率・ディストーションなどの歪みを補正（９１３）するリサンプル処理を行った後、２値化処理（９１４）を行い、マーカーを除去（９１５）することで１ページ分の２次元データを取得（９１６）する。このようにして得られた２次元データを、インターリーブを解除しながら複数のデータ列に変換した後、記録装置の空間光変調器３１２の欠陥位置を既知の誤り位置として取り扱う消失訂正に対応した誤り訂正処理（９１７）を行い、パリティデータ列を取り除く。次にスクランブル解除処理（９１８）を施し、ＣＲＣによる誤り検出処理（９１９）を行ってＣＲＣパリティを削除した後にユーザデータを入出力制御回路９０経由で送信（９２０）する。
【００７６】
図１１は空間光変調器３１２の欠陥の種類を表す。空間光変調器に全オフピクセルの２次元データを表示した際、オンピクセル同様に明るく光るピクセルを空間光変調器３１２の明欠陥１１０１、一方、全オンピクセルの２次元データを表示した際、オフピクセル同様に暗く光るピクセルを空間光変調器３１２の暗欠陥１１０２と呼ぶ。図１２は光検出器３２５の欠陥の種類を表す。光検出器３２５に全オフピクセルの２次元データを表示した際、オンピクセル同様に明るく光るピクセルが検出された場合、光検出器３２５の明欠陥１２０１、一方、全オンピクセルの２次元データを表示した際、オフピクセル同様に暗く光るピクセルが検出された場合、光検出器３２５の暗欠陥１２０２と呼ぶ。
【００７７】
図１３は、光検出器３２５の明欠陥１２０１のリサンプリング処理後の２次元データへの影響を示している。記録画像は光検出器３１２で１倍から２倍のオーバーサンプリングで検出されるため、明欠陥１２０１が影響するピクセルは４ピクセル（１３０１、１３０２、１３０３、１３０４）となる。
【００７８】
図１７は、図１６が示す空間光変調器３１２の２次元データを、明欠陥１７０１を含む光検出器３２５で検出した場合の検出画像の取り扱いを示している。光検出器３２５の明欠陥１７０１は、画像の傾き・倍率・ディストーションなどの歪みを補正（９１３）するリサンプル処理では、右図にあるようにオンピクセルとオフピクセルの中間値１７０２で扱われる。本処理は明欠陥１２０１に限らず、暗欠陥１２０２でも同様である。その後のリサンプル処理で周辺のピクセル値と共にリサンプル後の２次元データのピクセル値を決定するため、中間値をとることで図１３が示すようなエラーの影響を最小限とした処理が可能となり、誤り訂正処理前の２次元データに含まれる誤り率を低減することが可能となる。
【００７９】
空間光変調器３１２の明欠陥１１０１、暗欠陥１１０２に対しては位置情報を用いて、誤り訂正処理（９１７）で誤りの位置として扱う消失訂正を行うことで誤り訂正処理後の２次元データに含まれる誤り率は低減する。  
図１４、図１５は、誤り訂正符号化（９０４）を形成するデータ列のエラー分散のためのインターリーブを示している。図１４の例では６つの各サブブロックの左上から右上方向に、また上から下に１シンボルずつデータを順に配信し、２次元データを構成するインターリーブを示している。図１５の例では６つの各サブブロックの最初の位置をずらしながら、１シンボルずつデータを順に配信し、２次元データを構成している。図１４のインターリーブ方式を第１インターリーブ方式、図１５のインターリーブ方式を第２インターリーブ方式と表す。記録時に記録装置の空間光変調器３１２の欠陥位置が予めわかっている場合には、誤り訂正処理（９１７）における誤り訂正能力を最大限に使用するため、空間光変調器３１２の欠陥位置が２次元データを形成する誤り訂正符号に均等に分散するようインターリーブ方式を切り替える。また記録時にページデータで使用されたインターリーブ方式を特定する情報は欠陥に関する情報として、欠陥情報と共にコントロールデータに記録される。またインターリーブ方式を特定する情報は各ページデータを構成するデータの一部として記録することもできる。
【００８０】
図７は、光情報記録再生装置１０の信号生成回路８６のブロック図である。
【００８１】
出力制御回路９０にユーザデータの入力が開始されると、入出力制御回路９０はコントローラ８９にユーザデータの入力が開始されたことを通知する。コントローラ８９は本通知を受け、信号生成回路８６に入出力制御回路９０から入力される１ページ分のデータを記録処理するよう命ずる。コントローラ８９からの処理命令は制御用ライン７０８を経由し、信号生成回路８６内サブコントローラ７０１に通知される。本通知を受け、サブコントローラ７０１は各信号処理回路を並列に動作させるよう制御用ライン７０８を介して各信号処理回路の制御を行う。先ずメモリ制御回路７０３に、データライン７０９を介して入出力制御回路９０から入力されるユーザデータをメモリ７０２に格納するよう制御する。メモリ７０２に格納したユーザデータが、ある一定量に達すると、ＣＲＣ演算回路７０４でユーザデータをＣＲＣ化する制御を行う。次にＣＲＣ化したデータに、スクランブル回路７０５で擬似乱数データ列を加えるスクランブル化を施し、誤り訂正符号化回路７０６でパリティデータ列を加える誤り訂正符号化する制御を行う。最後にピックアップインターフェース回路７０７にメモリ７０２から誤り訂正符号化したデータを空間光変調器３１２上の２次元データの並び順で読み出させ、再生時に基準となるマーカーを付加した後、ピックアップ１１内の空間光変調器３１２に２次元データを転送する。
【００８２】
図８は、光情報記録再生装置１０の信号処理回路８５のブロック図である。
【００８３】
コントローラ８９はピックアップ１１内の光検出器３２５が画像データを検出すると、信号処理回路８５にピックアップ１１から入力される１ページ分のデータを再生処理するよう命ずる。コントローラ８９からの処理命令は制御用ライン８１１を経由し、信号処理回路８５内サブコントローラ８０１に通知される。本通知を受け、サブコントローラ８０１は各信号処理回路を並列に動作させるよう制御用ライン８１１を介して各信号処理回路の制御を行う。先ず、メモリ制御回路８０３に、データライン８１２を介して、ピックアップ１１からピックアップインターフェース回路８１０を経由して入力される画像データをメモリ８０２に格納するよう制御する。メモリ８０２に格納されたデータがある一定量に達すると、画像位置検出回路８０９でメモリ８０２に格納された画像データ内からマーカーを検出して有効データ範囲を抽出する制御を行う。次に検出されたマーカーを用いて画像歪み補正回路８０８で、画像の傾き・倍率・ディストーションなどの歪み補正を行い、画像データを期待される２次元データのサイズに変換する制御する。サイズ変換された２次元データを構成する複数ビットの各ビットデータを、２値化回路８０７において“０”、“１”判定する２値化し、メモリ８０２上に再生データの出力の並びでデータを格納する制御を行う。次に誤り訂正回路８０６で各データ列に含まれる誤りを訂正し、スクランブル解除回路８０５で擬似乱数データ列を加えるスクランブルを解除した後、ＣＲＣ演算回路８０４でメモリ８０２上のユーザデータ内に誤りが含まれない確認を行う。その後、入出力制御回路９０にメモリ８０２からユーザデータを転送する。
【００８４】
図１０は、反射層を有する光情報記録媒体の層構造を示す図である。（１）は光情報記録媒体へ情報を記録している状態を示し、（２）は光情報記録媒体から情報を再生している状態を示している。
【００８５】
光情報記録媒体１は、光ピックアップ１１側から、透明カバー層１０００、記録層１００２、光吸収/光透過層１００６、光反射層１０１０、そして第３透明保護層１０１２と、を備えている。参照光１０Ａと信号光１０Ｂとの干渉パターンは、記録層１００２に記録される。
【００８６】
光吸収／光透過層１００６は、情報記録時には参照光１０Ａと信号光１０Ｂとを吸収し、情報再生時には参照光を透過するように物性が変換する。例えば、光記録媒体１に電圧を印加することによって光吸収／光透過層１００６の着色、消色状態が変化し、すなわち、情報記録時には光吸収／光透過層１００６は着色状態となって、記録層１００２を通過した参照光１０Ａと信号光１０Ｂとを吸収し、情報再生時には消色状態になって参照光を透過させる（Ｔ．Ａｎｄｏ  ｅｔ．  ａｌ．  ：  Ｔｅｃｈｎｉｃａｌ  Ｄｉｇｅｓｔ  ＩＳＯＭ（２００６）、  Ｔｈ−ＰＰ−１０）。光吸収／光透過層１００６を通過した参照光１０Ａは光反射層１０１０で反射されて再生用参照光１０Ｃとなる。
【００８７】
また、Ａ．Ｈｉｒｏｔｓｕｎｅ  ｅｔ．  ａｌ．  ：  Ｔｅｃｈｎｉｃａｌ  Ｄｉｇｅｓｔ  ＩＳＯＭ（２００６）、  Ｍｏ−Ｂ−０４に記載された、エレクトロクロミック（ＥＣ）材料としてのＷＯ３を光吸収／光透過層１００６に用いることができる。
【００８８】
この材料に電圧を加えることにより可逆的に着色、消色を生じさせ、情報記録時には着色させて光を吸収し、情報再生時には消色させて光を透過させる。
【００８９】
図１０の構成により再生用参照光光学系が不要となり、ドライブの小型化が可能となる。
【００９０】
ここで、図１の光検出器の欠陥検出処理１０２と空間光変調器の欠陥検出処理１１１について詳細に説明する。
【００９１】
光検出器の欠陥検出処理１０２の一方式として、光情報記録媒体１に記録されたホログラムを再生し光検出器３２５の欠陥の位置と種類を探し出す方法がある。
【００９２】
図１８は光検出器の欠陥位置の検出方法の一例である。記録時のデータ処理で、オンピクセル数とオフピクセル数をほぼ等しくし、同一パターンの繰り返しを防ぐことを目的にデータ列に擬似乱数データ列を加えたスクランブル（９０３）が施された記録データを複数ページ再生し、光検出器３２５の各ピクセル値の平均をとると、ピクセル平均値はオンピクセルとオフピクセルの中間値になると期待される。しかしながら光検出器３２５に明欠陥１２０１があった場合には、該当するピクセル値２２０１の平均はオンピクセルの値とほぼ等しくなり、暗欠陥１２０２に対しては、該当するピクセル値２２０２の平均はオフピクセルの値とほぼ等しくなる。従って、複数ページを連続再生し、光検出器３２５の各ピクセルの平均値をとることで、光検出器３２５の明欠陥１２０１と暗欠陥１２０２をそれぞれ探し出すことが可能となる。特に平均化のための再生に使用する複数ページを、コントロールデータが記録される管理領域５のブック４とすることで、光情報記録媒体１が挿入された光情報記録再生装置１０の電源投入時のコントロールデータの読み出し（６０３）と兼用化できるため、Ｒｅａｄｙ状態（６０５）になる時間が短縮する。
【００９３】
また複数ページの平均値を使わずより高速に光検出器３２５の欠陥の位置と種類を探し出す方法として、欠陥検出を含む調整用の２種類以上の特殊パターンを記録し、そのパターンを再生する方法がある。例えば、図２０の全オンピクセル２次元データと図２１の全オフピクセル２次元データ、つまり２次元データを記録されていない角度からの再生画像データの組み合わせ、図２２と図２２とオンピクセルとオフピクセルの関係を逆転した図２３のストライプパターンの組み合わせ、又は図２４と図２４とオンピクセルとオフピクセルの関係を逆転した図２５のチェッカーパターンの組み合わせ、である。このような反転関係にある２種類の２次元データを用いて、検出値を使って直接的に、または光検出器３２５の各ピクセルの平均値を使って光検出器３２５の欠陥の位置と種類を探し出すことが可能となる。特に反転関係にある２種類の２次元データからなる特殊ページを、コントロールデータが記録される管理領域５のブック４に記録しておくことで、光情報記録媒体１が挿入された光情報記録再生装置１０の電源投入時のコントロールデータの読み出し（６０３）と兼用化できるため、Ｒｅａｄｙ状態（６０５）になる時間が更に短縮化する。
【００９４】
一方、空間光変調器の欠陥検出処理１１１の一方式としても、光情報記録媒体１に記録されたホログラムを再生し空間光変調器３１２の欠陥の位置と種類を探すことが可能である。検出方法は、光検出器３２５の欠陥検出処理同様に複数の２次元データを再生し、リサンプリング処理を施した後の２次元データを二値化前又は二値化後に各ピクセルで平均化し、オンピクセルとオフピクセルの中間値になると期待される中、オンピクセルの値とほぼ等しくなるピクセルは明欠陥とし、オフピクセルの値とほぼ等しくなるピクセルを暗欠陥とする。さらに反転関係にある２種類の２次元データを用いて、検出値を使って直接的に、またはリサンプリング処理後の２次元データの各ピクセルの平均値を使って空間光変調器３１４の欠陥の位置と種類を探し出すことが可能となる。
【００９５】
また光検出器の欠陥検出処理１０２と空間光変調器の欠陥検出処理１１１とをホログラムを再生する同一の検出方法で行う場合、検出された欠陥が光検出器３２５のものであるか、空間光変調器３１２のものであるかは、図１９が示すように、光情報記録媒体１を回転方向又は半径方向に少し移動し、再度同一の欠陥検出を行う。このとき、光検出器３２５上で検出した欠陥位置が、前に検出した欠陥位置と一致した場合、その欠陥は光検出器３２５の欠陥とし、リサンプリング処理後の２次元データ上で検出した欠陥位置が、前に検出した欠陥位置と一致した場合、その欠陥は空間光変調器３１４の欠陥と判断する。
【００９６】
このように検出された空間光変調器３１４の欠陥情報、または量産時に不揮発メモリ９２に格納される空間光変調器３１４の欠陥情報は、管理領域のコントロールデータの一部として、コントロールデータ記録時に光情報記録媒体１に記録される。また検出された光検出器３２５の欠陥情報は電源切断前に不揮発メモリ９２に格納される。
【００９７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００９８】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【００９９】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１００】
１・・・光情報記録媒体、１０・・・光情報記録再生装置、１１・・・ピックアップ、
１２・・・再生用参照光光学系、１３・・・ディスクＣｕｒｅ光学系、
１４・・・ディスク回転角度検出用光学系、８１・・・アクセス制御回路、
８２・・・光源駆動回路、８３・・・サーボ信号生成回路、
８４・・・サーボ制御回路、８５・・・信号処理回路、８６・・・信号生成回路、
８７・・・シャッタ制御回路、８８・・・ディスク回転モータ制御回路、
８９・・・コントローラ、９０・・・入出力制御回路、９１・・・外部制御装置、９２・・・不揮発メモリ、
３０１・・・光源、３０３・・・シャッタ、３０６・・・信号光、３０７・・・参照光、
３０８・・・ビームエキスパンダ、３０９・・・フェーズ（位相）マスク、
３１０・・・リレーレンズ、３１１・・・ＰＢＳプリズム、
３１２・・・空間光変調器、３１３・・・リレーレンズ、３１４・・・空間フィルタ、
３１５・・・対物レンズ、３１６・・・偏光方向変換素子、３２０・・・アクチュエータ、
３２１・・・レンズ、３２２・・・レンズ、３２３・・・アクチュエータ、
３２４・・・ミラー、３２５・・・光検出器
５０１・・・光源、５０２・・・コリメートレンズ、５０３・・・シャッタ、５０４・・・光学素子、
５０５・・・ＰＢＳプリズム、５０６・・・信号光、５０７・・・ＰＢＳプリズム、５０８・・・空間光変調器、
５０９・・・アングルフィルタ、５１０・・・対物レンズ、５１１・・・対物レンズアクチュエータ、
５１２・・・参照光、５１３・・・ミラー、５１４・・・ミラー、５１５・・・レンズ、
５１６・・・ガルバノミラー、５１７・・・アクチュエータ、５１８・・・光検出器、
５１９・・・偏光方向変換素子、５２０・・・駆動方向、５２１・・・光学ブロック
【図１】
2014010859.tif 000003
【図２】
2014010859.tif 000004
【図３】
2014010859.tif 000005
【図４】
2014010859.tif 000006
【図５】
2014010859.tif 000007
【図６】
2014010859.tif 000008
【図７】
2014010859.tif 000009
【図８】
2014010859.tif 000010
【図９】
2014010859.tif 000011
【図１０】
2014010859.tif 000012
【図１１】
2014010859.tif 000013
【図１２】
2014010859.tif 000014
【図１３】
2014010859.tif 000015
【図１４】
2014010859.tif 000016
【図１５】
2014010859.tif 000017
【図１６】
2014010859.tif 000018
【図１７】
2014010859.tif 000019
【図１８】
2014010859.tif 000020
【図１９】
2014010859.tif 000021
【図２０】
2014010859.tif 000022
【図２１】
2014010859.tif 000023
【図２２】
2014010859.tif 000024
【図２３】
2014010859.tif 000025
【図２４】
2014010859.tif 000026
【図２５】
2014010859.tif 000027
【図２６】
2014010859.tif 000028
【図２７】
2014010859.tif 000029